(57)【特許請求の範囲】
【請求項１】
バッテリを内蔵したワイヤレスポインティングデバイスを有する情報処理装置であって、
前記ワイヤレスポインティングデバイスは操作された時に前記バッテリの残量情報を前記情報処理装置へ通知する送信手段を有し、
前記情報処理装置は所定の時間間隔で前記ワイヤレスポインティングデバイスへバッテリ残量情報を要求する信号を出力する残量管理手段を有し、
前記ワイヤレスポインティングデバイスが操作されることにより前記残量情報が得られた時は、
前記所定の時間間隔の開始点に変更されることを特徴とする情報処理装置。
【請求項２】
前記残量情報がマウスカーソルの領域内でバッテリの残量を認識可能に画面表示されることを特長とする前記請求項１に記載の情報処理装置。
【請求項３】
前記画面表示はマウスカーソルの領域内でバッテリの残量比率に応じて色分けされていることを特徴とする前記請求項２に記載の情報処理装置。
【発明の詳細な説明】
【技術分野】
【０００１】
本発明は、パーソナルコンピュータなどの電子機器の入力装置として用いられるポインティングデバイスのバッテリ残量表示方法に関する。
【背景技術】
【０００２】
従来、特許文献１では、ポインティングデバイスと電子機器本体は双方向の通信機能を持ち、電子機器本体からポインティングデバイスに電池の残量読み取りコマンドを送り、このコマンドに対するポインティングデバイスの応答で内蔵された電池の残量を調べることができる。ポインティングデバイスと電子機器本体間の通信は送信回路、受信回路を用いて双方向通信を行っている。しかしながら、従来の方法では電子機器本体からポインティングデバイスに対して定期的に電池残量読み取りコマンドを送り、それに対するポインティングデバイスの応答から電池の残量を調べる必要があり、ポインティングデバイスを動かさなくても定期的にポインティングデバイスの回路を動作させるため、必然的にポインティングデバイスの消費電力が増え、電池が早く消耗する欠点があった。
【０００３】
又、特許文献２では、上記欠点を解決するためになされたもので、ワイヤレスポインティングデバイスはデータパケットに電池切れ予告信号を入れて送信し、そのデータパケットを受信した電子機器本体においてワイヤレスポインティングデバイスの電池切れの予告表示を行うようにしたことにより、ワイヤレスポインティングデバイスが使用されたときにのみ電池残量の検出が行なわれワイヤレスポインティングデバイスの電池の消耗を防ぐことができる。
【０００４】
【特許文献１】特開平７−２８１８２９号公報
【特許文献２】特開２００３−２４１８９５号公報
【発明の開示】
【発明が解決しようとする課題】
【０００５】
しかし、特許文献２を用いてもユーザがワイヤレスポインティングデバイスを使用しなければ電子機器本体への通信が行われないので電子機器本体はワイヤレスポインティングデバイスの電池残量を知ることができない問題がある。これに特許文献１を組み合わせても電池の消耗を防ぐ点での効果が得られない。
【０００６】
そこで、本発明は、ワイヤレスポインティングデバイスの電池の消耗を防ぐと共に、電池残量を視認しやすくすることで電池切れによるトラブルを生じにくくすることを目的とする。
【課題を解決するための手段】
【０００７】
本発明の情報処理装置は、バッテリを内蔵したワイヤレスポインティングデバイスを有する情報処理装置であって、前記ワイヤレスポインティングデバイスは操作された時に前記バッテリの残量情報を前記情報処理装置へ通知する送信手段を有し、前記情報処理装置は所定の時間間隔で前記ワイヤレスポインティングデバイスへバッテリ残量情報を要求する信号を出力する残量管理手段を有し、前記ワイヤレスポインティングデバイスが操作されることにより前記残量情報が得られた時は、前記所定の時間間隔の開始点に変更されることを特徴とする。
【発明の効果】
【０００８】
本発明によれば、ワイヤレスポインティングデバイスの電池の消耗を防ぐと共に、電池残量を視認しやすくすることで電池切れによるトラブルを生じにくくすることができる。
【発明を実施するための最良の形態】
【０００９】
以下、図面を参照して本発明を実施するための最良の形態について詳細に説明する。図１は本発明の実施の形態の本体装置１とワイヤレスポインティングデバイス１０のブロック図である。図１を参照すると、本体装置１は例えばパーソナルコンピュータのような電子機器本体である。
【００１０】
本体装置１は入力装置としてポインティングデバイス１０と無線通信を行うための送信手段５および受信手段６を備えている。無線通信としては赤外線や電波を利用することができる。残量管理手段４は本体装置１においてワイヤレスポインティングデバイス１０のバッテリ残量を管理するためのものであり、ワイヤレスポインティングデバイス１０に対してコマンドを送信してワイヤレスポインティングデバイス１０のバッテリ残量情報を得たり、ワイヤレスポインティングデバイス１０へのコマンドの送信タイミングを管理する。タイマ３はそのための時間計測手段として利用される。
【００１１】
残量表示制御手段２は残量管理手段４からのバッテリ残量情報を表示部７へ視認容易に表示する。
【００１２】
次にワイヤレスポインティングデバイス１０はバッテリ１３が内蔵されている。バッテリ１３は乾電池でもよいし、充電式のバッテリでもよい。ポインティングデバイス１０は本体装置１と無線通信を行うための送信手段１１および受信手段１２を備えている。
【００１３】
残量検出手段１４はバッテリ１３の残量を検出可能である。検出精度としては所定のレベルで検出可能でもよい。
【００１４】
残量情報生成手段１５は残量検出手段１４にて検出された残量情報を本体装置１とのコマンドに埋め込むことが可能である。
【００１５】
次に動作について説明する。本実施の形態の動作について図２から３を参照して説明する。図２は本発明の実施の形態におけるバッテリ残量検出処理のフローチャートである。
【００１６】
まず、本体装置１に電源を入れると本体電源ＯＮと判定され（Ｓ１）、バッテリ残量管理手段本体装置１はワイヤレスポインティングデバイス１０に対してバッテリ残量を通知させるためのコマンドを送信し、ワイヤレスポインティングデバイス１０よりバッテリ残量を通知するためのコマンドを受信する（Ｓ２）。
【００１７】
次に本体装置１のタイマ３に所定の初期値を設定する。初期値の値はワイヤレスポインティングデバイス１０の残量を検出するのに効果的でかつバッテリ１３の残量をできるだけ消耗させない値が好ましい。ここでユーザがワイヤレスポインティングデバイス１０を操作することにより残量検出手段１４によりバッテリ１３の残量検出がされると残量コマンド生成手段１５により残量コマンドが生成され、送信手段１１よりワイヤレスポインティングデバイス１０の通常使用の通信に埋め込まれて残量コマンドが本体装置１へ送信される。
【００１８】
本体装置１の受信手段６により残量コマンドが受信されると（Ｓ４）、本体装置１のタイマは再度初期値が設定される（Ｓ５）ので、本体装置１からワイヤレスポインティングデバイス１０への残量確認のためのアクセスタイミングが遅延され、バッテリ１３の消耗が抑えられる。ワイヤレスポインティングデバイス１０への操作がなく、初期値の設定がされたタイマ３の時間が経過すると（Ｓ６）、残量管理手段４は残量確認のためのコマンドを送信手段５よりワイヤレスポインティングデバイス１０へ送信する。
【００１９】
図３は本発明の実施の形態における本体装置の表示装置による表示例である。本体装置１はディスプレイ２０と装置本体２３を備えている。残量管理手段４により得られたバッテリ１３の残量情報により、残量表示制御手段２により画面上のマウスカーソル２１の領域内に残量が視認可能なバッテリ残量領域２２として表示される。表示の仕方としては残量を視認するために効果的な色や点滅にて表示されることが望ましい。例えば前記画面表示はマウスカーソルの領域内における色分けがバッテリの残量の比率に応じて色分けされてもよい。
【図面の簡単な説明】
【００２０】
【図１】本発明の実施の形態の本体装置とポインティングデバイスのブロック図である。
【図２】本発明の実施の形態のバッテリ残量検出処理のフローチャートである。
【図３】本発明の実施の形態の本体装置の表示装置による表示例である。
【符号の説明】
【００２１】
１  本体装置
２  残量表示制御手段
３  タイマ
４  残量管理手段
５、１１  送信手段
６、１２  受信手段
７  表示部
１０  ワイヤレスポインティングデバイス
１３  バッテリ
１４  残量検出手段
１５  残量コマンド生成手段
２０  ディスプレイ
２１  マウスカーソル
２２  バッテリ残量領域
２３  装置本体
【図１】
0005084584.tif 000002
【図２】
0005084584.tif 000003
【図３】
0005084584.tif 000004